(57)【要約】【課題】連結部材が剥がれてしまうことを抑制できるフィルタユニットを提供すること。【解決手段】フィルタユニットは、第１樹脂枠と、前記第１樹脂枠に取り付けられた第１フィルタと、第２樹脂枠と、前記第２樹脂枠に取り付けられた第２フィルタと、折り曲げ可能な連結部材と、を備える。前記連結部材は、前記第１樹脂枠の第１側面と前記第２樹脂枠の第２側面とが対向するように、前記第１樹脂枠と前記第２樹脂枠とを連結する。前記連結部材は、前記第１樹脂枠の表面のうち、前記第１側面に交差する第１接着面に接着されるとともに、前記第２樹脂枠の表面のうち、前記第２側面に交差する第２接着面に接着される。【選択図】図２
2020146600.tif 000002
【特許請求の範囲】
【請求項１】
第１樹脂枠と、
前記第１樹脂枠に取り付けられた第１フィルタと、
第２樹脂枠と、
前記第２樹脂枠に取り付けられた第２フィルタと、
前記第１樹脂枠の第１側面と前記第２樹脂枠の第２側面とが対向するように、前記第１樹脂枠と前記第２樹脂枠とを連結する折り曲げ可能な連結部材と、
を備え、
前記連結部材は、前記第１樹脂枠の表面のうち、前記第１側面に交差する第１接着面に接着されるとともに、前記第２樹脂枠の表面のうち、前記第２側面に交差する第２接着面に接着されるフィルタユニット。
【請求項２】
請求項１に記載のフィルタユニットであって、
前記連結部材は、布、ゴム、又は樹脂から成るフィルタユニット。
【請求項３】
請求項１又は２に記載のフィルタユニットであって、
前記連結部材のうち、前記第１側面と前記第２側面との間に位置する部分は、前記第１側面又は前記第２側面に沿って延びる溝を備えるフィルタユニット。
【発明の詳細な説明】
【技術分野】
【０００１】
本開示はフィルタユニットに関する。
【背景技術】
【０００２】
特許文献１には通風濾過装置が開示されている。通風濾過装置はフィルタユニットを備える。フィルタユニットは、複数の単位部材に分割されている。複数の単位部材は可撓性を有する連結部材を介して連結されている。
【先行技術文献】
【特許文献】
【０００３】
【特許文献１】特開平１−１９９６１９号公報
【発明の概要】
【発明が解決しようとする課題】
【０００４】
フィルタユニットを通風濾過装置に取り付けたり、通風濾過装置からフィルタユニットを取り外したりするときに、単位部材と連結部材との接着面に力が加わる。そのため、連結部材が単位部材から剥がれてしまうおそれがある。本開示の１つの局面は、連結部材が剥がれてしまうことを抑制できるフィルタユニットを提供することにある。
【課題を解決するための手段】
【０００５】
本開示の１つの局面は、第１樹脂枠と、前記第１樹脂枠に取り付けられた第１フィルタと、第２樹脂枠と、前記第２樹脂枠に取り付けられた第２フィルタと、前記第１樹脂枠の第１側面と前記第２樹脂枠の第２側面とが対向するように、前記第１樹脂枠と前記第２樹脂枠とを連結する折り曲げ可能な連結部材と、を備え、前記連結部材は、前記第１樹脂枠の表面のうち、前記第１側面に交差する第１接着面に接着されるとともに、前記第２樹脂枠の表面のうち、前記第２側面に交差する第２接着面に接着されるフィルタユニットである。
【０００６】
本開示の１つの局面であるフィルタユニットは、連結部材が第１樹脂枠及び第２樹脂枠から剥がれてしまうことを抑制できる。
【図面の簡単な説明】
【０００７】
【図１】フィルタユニットの構成を表す正面図である。
【図２】図１におけるＩＩ−ＩＩ断面での断面と、その断面の拡大された一部とを表す断面図である。
【図３】第１フィルタの構成を表す分解斜視図である。
【図４】フィルタユニットをエアコンユニットに取り付ける方法を表す説明図である。
【図５】第２実施形態の構成を表すＩＩ−ＩＩ断面での断面図である。
【図６】第３実施形態の構成を表すＩＩ−ＩＩ断面での断面図である。
【図７】第４実施形態の構成を表すＩＩ−ＩＩ断面での断面図である。
【発明を実施するための形態】
【０００８】
本開示の例示的な実施形態について図面を参照しながら説明する。
＜第１実施形態＞
１．フィルタユニット１の構成
フィルタユニット１の構成を図１〜図３に基づき説明する。図１に示すように、フィルタユニット１は、第１樹脂枠３と、第１フィルタ５と、第２樹脂枠７と、第２フィルタ９と、連結部材１１と、を備える。
【０００９】
第１樹脂枠３は、矩形の枠形状を有する。第１樹脂枠３は、４つの辺１３、１５、１７、１９により構成される。辺１３、１５、１７、１９は、それぞれ、長方形の板状部材である。第１樹脂枠３は樹脂から成る。
【００１０】
図２に示すように、辺１３の外周面１３Ａに突出部２１が形成されている。外周面１３Ａは第１側面に対応する。突出部２１の位置は、外周面１３Ａのうち、第１樹脂枠３における一方の端部２３の側にある。突出部２１は、辺１３の長手方向に沿って延びている。
【００１１】
なお、図２は、図１に示すＩＩ−ＩＩ断面での断面図である。ＩＩ−ＩＩ断面は、辺１５、１９、３９、４３と平行であり、辺１３、１７、３７、４１と直交する断面である。
突出部２１の側面のうち、端部２３の側の側面を、第１接着面２５とする。第１接着面２５は、外周面１３Ａと交差する面である。さらに具体的には、第１接着面２５は、外周面１３Ａと直交する面である。
【００１２】
図１、図２に示すように、辺１７の外周面に突出部２７が設けられている。突出部２７は辺１７の長手方向に沿って延びている。
図１、図２に示すように、第１フィルタ５は第１樹脂枠３の中にはめ込まれ、第１樹脂枠３に取り付けられる。図３に示すように、第１フィルタ５は、濾材部２９と、一対の端板３１、３３とを備える。濾材部２９は蛇腹形状を有する。蛇腹形状とは、山折りの折目と谷折りの折目とを交互に繰り返した形状である。以下では、山折りの折目と、谷折りの折目とをあわせて、折目３５とする。濾材部２９の形状は、正面視においては長方形である。
【００１３】
端板３１、３３は長方形の板状部材である。一対の端板３１、３３は、濾材部２９における両方の端部２９Ａに接着されている。端部２９Ａは、折目３５が延びる方向における端部である。濾材部２９及び端板３１、３３の材質は不織布である。不織布は布に対応する。
【００１４】
第２樹脂枠７は、基本的には第１樹脂枠３と同様の構成を有する。図１に示すように、第２樹脂枠７は、矩形の枠形状を有する。第２樹脂枠７は、４つの辺３７、３９、４１、４３により構成される。辺３７、３９、４１、４３は、それぞれ、長方形の板状部材である。第２樹脂枠７は樹脂から成る。
【００１５】
図２に示すように、辺３７の外周面３７Ａに突出部４５が形成されている。外周面３７Ａは第２側面に対応する。突出部４５の位置は、外周面３７Ａのうち、端部２３の側にある。突出部４５は、辺３７の長手方向に沿って延びている。突出部４５の側面のうち、端部２３の側の側面を、第２接着面４７とする。第２接着面４７は、外周面３７Ａと交差する面である。さらに具体的には、第２接着面４７は、外周面３７Ａと直交する面である。
【００１６】
第２フィルタ９は第１フィルタ５と同様の構成を有する。第２フィルタ９は第２樹脂枠７の中にはめ込まれ、第２樹脂枠７に取り付けられる。
図１、図２に示すように、連結部材１１は、外周面１３Ａと外周面３７Ａとが対向するように、第１樹脂枠３と第２樹脂枠７とを連結する。連結部材１１は不織布から成る。不織布は布に対応する。連結部材１１は折り曲げ可能である。連結部材１１の一方の端部１１Ａは第１接着面２５に接着されている。連結部材１１の反対の端部１１Ｂは第２接着面４７に接着されている。
【００１７】
例えば、連結部材１１と辺１３とを一体成型することにより、端部１１Ａと第１接着面２５とを接着することができる。また、例えば、連結部材１１と辺３７とを一体成型することにより、端部１１Ｂと第２接着面４７とを接着することができる。
【００１８】
２．フィルタユニット１の使用方法
フィルタユニット１の使用方法を図４に基づき説明する。フィルタユニット１は、エアコンユニット４９に取り付けることができる。エアコンユニット４９は、ケース５１と、ブロア５３と、を備える。
【００１９】
ケース５１は、入口５５及び出口５７を備える角筒状の部材である。ブロア５３はケース５１の内部に設置されている。ブロア５３によって生じる風は、入口５５からケース５１に入り、方向Ｆに沿って流れ、出口５７から排出される。
【００２０】
ケース５１はフィルタ保持ガイド５９を備える。フィルタ保持ガイド５９は、ケース５１の天井部５１Ａにおける内側面に設けられている。フィルタ保持ガイド５９は、下側に開口する溝６１を備える。
【００２１】
ケース５１の底部５１Ｂにフィルタ取付孔６３が形成されている。フィルタ取付孔６３の位置は、フィルタ保持ガイド５９の下方である。フィルタ取付孔６３は、通常は、カバー６５により覆われている。カバー６５は、カバー本体６７と、パッキン６９とを備える。フィルタ取付孔６３をカバー６５で覆ったとき、パッキン６９は、底部５１Ｂよりも、ケース５１の内部に進入する。
【００２２】
エアコンユニット４９は、例えば、車両に取り付けられている。エアコンユニット４９は、例えば、底部５１Ｂの下方のスペースが狭い場所に取り付けられている。
フィルタユニット１をエアコンユニット４９に取り付けるとき、まず、ケース５１からカバー６５を取り外す。次に、フィルタユニット１を、ケース５１の下方から、フィルタ取付孔６３を通し、ケース５１の内部に押し込む。
【００２３】
このとき、突出部２７が先頭となる向きで、フィルタユニット１を押し込む。また、フィルタユニット１がケース５１の下方にあるときは、連結部材１１を折り曲げることで、フィルタユニット１の形態を、辺１５、１９に対し、辺３９、４３が折れ曲がった形態（以下では折り曲げ形態とする）にする。折り曲げ形態は、端部２３が内側となるように折り曲げられた形態である。
【００２４】
第１樹脂枠３の全体がケース５１の内部に押し込まれたとき、連結部材１１を伸ばすことで、フィルタユニット１の形態を、辺１５、１９と辺３９、４３とが一直線上に並ぶ形態（以下では直線形態とする）にする。さらにフィルタユニット１をケース５１の内部に押し込み、突出部２７を溝６１に差し込む。
【００２５】
最後に、カバー６５により、フィルタ取付孔６３を塞ぐ。パッキン６９は、辺４１に当接する。フィルタユニット１は、突出部２７が溝６１に差し込まれることと、辺４１が下方からパッキン６９により支持されることにより、ケース５１に対し固定される。
【００２６】
３．フィルタユニット１が奏する効果
（１Ａ）フィルタユニット１は折り曲げ可能な連結部材１１を備えることにより、折り曲げ形態となることができる。そのため、底部５１Ｂの下方のスペースが狭い場合でも、図４に示すように、フィルタユニット１を、フィルタ取付孔６３に容易に押し込むことができる。
【００２７】
（１Ｂ）エアコンユニット４９からフィルタユニット１を取り外すとき、例えば、第２樹脂枠７をフィルタ取付孔６３の方向に引っ張る。このとき、端部１１Ａと第１接着面２５との界面に力が加わる。また、端部１１Ｂと第２接着面４７との界面にも力が加わる。
【００２８】
加わる力の方向は、外周面１３Ａ及び外周面３７Ａと直交する方向である。第１接着面２５は、外周面１３Ａと交差する面である。そのため、加わる力の方向と、第１接着面２５とが成す角度は小さい。また、加わる力の方向と、第２接着面４７とが成す角度は小さい。
【００２９】
その結果、第２樹脂枠７をフィルタ取付孔６３の方向に引っ張った場合でも、端部１１Ａは第１接着面２５から剥がれ難く、端部１１Ｂは第２接着面４７から剥がれ難い。
（１Ｃ）連結部材１１は不織布から成る。そのため、連結部材１１を繰り返し折り曲げても、連結部材１１は劣化し難い。
＜第２実施形態＞
１．第１実施形態との相違点
第２実施形態は、基本的な構成は第１実施形態と同様であるため、相違点について以下に説明する。なお、第１実施形態と同じ符号は、同一の構成を示すものであって、先行する説明を参照する。
【００３０】
前述した第１実施形態では、フィルタユニット１が直線形態であるとき、連結部材１１の形状は平坦であった。これに対し、第２実施形態では、図５に示すように、連結部材１１は溝７１を備える。溝７１は、連結部材１１を曲げて形成されている。例えば、連結部材１１を、溝７１の形状に対応した型に入れ、圧力と熱とを加えることで、溝７１を形成することができる。
【００３１】
ＩＩ−ＩＩ断面において、溝７１の形状は円弧状である。溝７１は辺１３及び辺３７の長手方向に沿って延びている。辺１３及び辺３７の長手方向とは、図１における左右方向であり、図２において紙面に直交する方向である。溝７１は、端部２３の側に開口している。なお、ＩＩ−ＩＩ断面における溝７１の形状は、他の形状であってもよく、例えば、Ｖ字状であってもよい。
【００３２】
２．フィルタユニット１が奏する効果
以上詳述した第２実施形態によれば、前述した第１実施形態の効果を奏し、さらに、以下の効果を奏する。
【００３３】
（２Ａ）フィルタユニット１を折り曲げ形態としたとき、連結部材１１は、溝７１において折れ曲がる。そのため、連結部材１１が折れ曲がる位置がずれてしまうことを抑制できる。
＜第３実施形態＞
１．第１実施形態との相違点
第３実施形態は、基本的な構成は第１実施形態と同様であるため、相違点について以下に説明する。なお、第１実施形態と同じ符号は、同一の構成を示すものであって、先行する説明を参照する。
【００３４】
前述した第１実施形態では、外周面１３Ａに突出部２１が形成されていた。これに対し、第３実施形態では、図６に示すように、辺１３は、ＩＩ−ＩＩ断面において、端部２３の側がＬ字型に切り欠かれた形状を有する。Ｌ字を構成する２辺のうちの一方であって、外周面１３Ａに直交する面が第１接着面２５である。端部１１Ａは第１接着面２５に接着されている。
【００３５】
また、前述した第１実施形態では、外周面３７Ａに突出部４５が形成されていた。これに対し、第３実施形態では、図６に示すように、辺３７は、ＩＩ−ＩＩ断面において、端部２３の側がＬ字型に切り欠かれた形状を有する。Ｌ字を構成する２辺のうちの一方であって、外周面３７Ａに直交する面が第２接着面４７である。端部１１Ｂは第２接着面４７に接着されている。
【００３６】
２．フィルタユニット１が奏する効果
以上詳述した第３実施形態によれば、前述した第１実施形態の効果を奏する。
＜第４実施形態＞
１．第１実施形態との相違点
第４実施形態は、基本的な構成は第１実施形態と同様であるため、相違点について以下に説明する。なお、第１実施形態と同じ符号は、同一の構成を示すものであって、先行する説明を参照する。
【００３７】
前述した第１実施形態では、外周面１３Ａに突出部２１が形成されていた。これに対し、第４実施形態では、図７に示すように、外周面１３Ａは平坦である。また、第４実施形態では、辺１３における端部２３の側の端面が第１接着面２５である。端部１１Ａは第１接着面２５に接着されている。
【００３８】
また、前述した第１実施形態では、外周面３７Ａに突出部４５が形成されていた。これに対し、第４実施形態では、図７に示すように、外周面３７Ａは平坦である。また、第４実施形態では、辺３７における端部２３の側の端面が第２接着面４７である。端部１１Ｂは第２接着面４７に接着されている。
【００３９】
２．フィルタユニット１が奏する効果
以上詳述した第４実施形態によれば、前述した第１実施形態の効果を奏する。
＜他の実施形態＞
以上、本開示の実施形態について説明したが、本開示は上述の実施形態に限定されることなく、種々変形して実施することができる。
【００４０】
（１）第１フィルタ５及び第２フィルタ９の材質は、不織布以外の材質であってもよい。
（２）連結部材１１の材質は、例えば、不織布以外の布、ゴム、樹脂等であってもよい。
【００４１】
（３）ＩＩ−ＩＩ断面における第１接着面２５、第２接着面４７の位置は、端部２３の側の位置でなくてもよい。例えば、第１接着面２５、第２接着面４７の位置は、端部２３とは反対側の位置であってもよいし、中央の位置であってもよい。
【００４２】
（４）第１接着面２５と外周面１３Ａとは、直交していなくてもよい。第１接着面２５と外周面１３Ａとが成す角度は、例えば、３０〜１５０度であり、好ましくは６０〜１２０度であり、さらに好ましくは８０〜１００度である。角度が９０度に近いほど、端部１１Ａが第１接着面２５から一層剥がれ難い。
【００４３】
第２接着面４７と外周面３７Ａとは、直交していなくてもよい。第２接着面４７と外周面３７Ａとが成す角度は、例えば、３０〜１５０度であり、好ましくは６０〜１２０度であり、さらに好ましくは８０〜１００度である。角度が９０度に近いほど、端部１１Ｂが第２接着面４７から一層剥がれ難い。
【００４４】
（５）接着剤等を用いて、端部１１Ａと第１接着面２５とを接着することができる。また、接着剤等を用いて、端部１１Ｂと第２接着面４７とを接着することができる。
（６）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。
【００４５】
例えば、第３〜第４実施形態における連結部材１１が、第２実施形態と同様の溝７１を備えていてもよい。
（７）上述したフィルタユニットの他、当該フィルタユニットを構成要素とするシステム、フィルタユニットの製造方法等、種々の形態で本開示を実現することもできる。
【符号の説明】
【００４６】
１…フィルタユニット、３…第１樹脂枠、５…第１フィルタ、７…第２樹脂枠、９…第２フィルタ、１１…連結部材、１１Ａ、１１Ｂ…端部、１３、１５、１７、１９、３７、３９、４１、４３…辺、１３Ａ、３７Ａ…外周面、２１、４５…突出部、２３…端部、２５…第１接着面、２７…突出部、２９…濾材部、２９Ａ…端部、３１…端板、３５…折目、４７…第２接着面、４９…エアコンユニット、５１…ケース、５１Ａ…天井部、５１Ｂ…底部、５３…ブロア、５５…入口、５７…出口、５９…フィルタ保持ガイド、６１…溝、６３…フィルタ取付孔、６５…カバー、６７…カバー本体、６９…パッキン、７１…溝
【図１】
2020146600.tif 000003
【図２】
2020146600.tif 000004
【図３】
2020146600.tif 000005
【図４】
2020146600.tif 000006
【図５】
2020146600.tif 000007
【図６】
2020146600.tif 000008
【図７】
2020146600.tif 000009